(57)【要約】【課題】フィクスチャーの表面加工された部位が、歯槽骨内に埋設される前に他の部材と接触することなくフィクスチャーを取り扱うことのできるパッケージを提供する。【解決手段】歯槽骨内に埋入されるフィクスチャー３０と、ドライバーホルダーに装着されるためのヘッド部とネック部４７を有して、ネック部４７において、周囲より縮径された幅狭部４８を有するドライバーアタッチメント４０と、が組み合わされた歯科用インプラント３を収容するためのパッケージ１であって、パッケージは、歯科用インプラントを着脱自在に把持するホルダー１０と、ホルダーを保持するケース７０と、キャップ６０と、を備え、ホルダーは、弾性変形可能な材料からなり、Ｕ字状に切り欠かれた挟持部１６を有して、挟持部がドライバーアタッチメントの幅狭部４８と弾性的に係合することによって歯科用インプラントを挟持している。【選択図】図４
2008125982.tif 000002
【特許請求の範囲】
【請求項１】
外ネジを有して、歯槽骨内に埋入されるフィクスチャーと、
その一端においてフィクスチャーに嵌合するための嵌合部を有するとともに、その他端においてドライバーホルダーに装着されるためのヘッド部を有して、ヘッド部と嵌合部との間に位置するネック部において、周囲より縮径された幅狭部を有するドライバーアタッチメントと、が一体に組み合わされた歯科用インプラントを収容するためのパッケージであって、
前記パッケージは、
開口部を通して前記歯科用インプラントを着脱自在に把持するホルダーと、
前記ホルダーを保持するケースと、
前記ケースを蓋するキャップと、を備え、
前記ホルダーは、弾性変形可能な材料からなり、Ｕ字状に切り欠かれた挟持部を有して、該挟持部がドライバーアタッチメントの前記幅狭部と弾性的に係合することによって歯科用インプラントを挟持していることを特徴とする、歯科用インプラントを収容するためのパッケージ。
【請求項２】
前記挟持部における係合手段は、挟持部の側壁面に凸設された係止ツメであることを特徴とする、請求項１記載のパッケージ。
【請求項３】
前記挟持部における係合手段は、挟持部に凹設された係止凹部であることを特徴とする、請求項１記載のパッケージ。
【請求項４】
前記キャップの内部の中央に設けられてケース側に延在する支持部がドライバーアタッチメントのヘッド部の上面に当接することによって、歯科用インプラント付きホルダーホルダーがパッケージ内で係止されていることを特徴とする、請求項１記載のパッケージ。
【請求項５】
フィクスチャーとドライバーアタッチメントとは、連通穴から挿入された連結スクリューによって連結されていることを特徴とする、請求項１記載のパッケージ。
【請求項６】
前記ホルダーが大略正多角体であることを特徴とする、請求項１記載のパッケージ。
【請求項７】
ホルダーの開口部の反対側に位置する側面中央の両側に配設された一対の押圧マーカー部が押圧されることによって、ホルダーの側面が弾性変形して挟持部が僅かに拡開することによって、挟持部で挟持されていた歯科用インプラントが離脱可能となることを特徴とする、請求項１記載のパッケージ。
【請求項８】
ホルダーの上端及び下端の同じ側にＵ字状切欠がそれぞれ設けられ、
上端側のＵ字状切欠が挟持部として用いられるとともに、下端側の切欠近傍の位置に押圧マーカー部が配設されていて、
前記押圧マーカー部が押圧されることによって、ホルダーの側面が弾性変形して挟持部が僅かに拡開することによって、挟持部で挟持されていた歯科用インプラントが離脱可能となることを特徴とする、請求項１記載のパッケージ。
【発明の詳細な説明】
【技術分野】
【０００１】
本発明は、歯科用インプラントを収容するためのパッケージに関し、詳細には、フィクスチャーとアタッチメントとが一体に組み合わされた歯科用インプラントを収容するためのパッケージに関する。
【背景技術】
【０００２】
歯の欠損した部位の歯槽骨内にインプラントを植設し、インプラントの末端側に義歯を装着して天然歯の代用することは、臨床的に既に行われている。
【０００３】
歯科用インプラントは、一般に、無菌環境下でパッケージに収容・包装されたものが歯科医院等に搬送されて使用される。歯科用インプラントを収容・搬送するためのパッケージは、様々な形態で提案・提供されている。
【０００４】
歯科用インプラントを収容するためのパッケージが、例えば、特許文献１に開示されている。
【０００５】
【特許文献１】特開２００４−２４３１２７号公報
【０００６】
特許文献１に開示されたインプラント用パッケージは、対角線状に半割された平面六面体の形状をしたケース内にインプラントホルダーが配置され、インプラントホルダーがインプラントを弾性的に把持するための切欠付きスリットを備え、切欠付きスリットで把持されたインプラントは、開口部を介して装着又は離脱するように構成されている。すなわち、スリットが弾性的な材料で製造されているか、弾性的な材料からなるリップにより覆われていて、切欠付きスリットが弾性的に拡開することによって、円筒状のインプラントを把持したり把持解除したりすることができるように構成されている。
【０００７】
ところで、インプラントのネジ山には、一般に、骨内維持力を強固にするために、サンドブラスト等による粗面加工、又は、リン酸カルシウム等のコーティング加工等の表面加工が施されている。これらの表面加工されたネジ山が、歯槽骨内に埋設される前に他の部材と直接的に接触して擦れてしまうと、インプラントに施された表面加工が変質してしまって、当該インプラントは本来の骨内維持力が得られない。
【０００８】
特許文献１のインプラント用パッケージでは、インプラントがスリットに装着されたりスリットから離脱されたりする際には、インプラントの表面加工されたネジ山がスリットの側壁面に擦れる構成となっている。その結果、ネジ山の表面加工が変質して、当該インプラントは強固な骨内維持力を得ることができないという問題がある。
【０００９】
また、特許文献１のインプラント用パッケージでは、開口部側から見て、切欠付きのスリットを先細形状とすることによって、大径のインプラントを開口部側の切欠部分に、小径のインプラントを非開口部側の切欠部分にそれぞれ収容できるように構成されている。多くの異なった直径のインプラントを収容するためには、多くの切欠部分を必要とするので、開口部から奥行き方向に延在する長尺サイズのスリットを必要として、インプラント用パッケージが必然的に大型化してしまうという問題がある。
【発明の開示】
【発明が解決しようとする課題】
【００１０】
したがって、本発明の解決すべき技術的課題は、フィクスチャーの表面加工された部位が、歯槽骨内に埋設される前に他の部材と接触することなくフィクスチャーを取り扱うことのできる、歯科用インプラントを収容するためのパッケージを提供することである。
【課題を解決するための手段および作用・効果】
【００１１】
上記技術的課題を解決するために、本発明によれば、以下のパッケージが提供される。
【００１２】
すなわち、本発明に係る歯科用インプラントを収容するためのパッケージは、
外ネジを有して、歯槽骨内に埋入されるフィクスチャーと、
その一端においてフィクスチャーに嵌合するための嵌合部を有するとともに、その他端においてドライバーホルダーに装着されるためのヘッド部を有して、ヘッド部と嵌合部との間に位置するネック部において、周囲より縮径された幅狭部を有するドライバーアタッチメントと、が一体に組み合わされた歯科用インプラントを収容するためのパッケージであって、
前記パッケージは、
開口部を通して前記歯科用インプラントを着脱自在に把持するホルダーと、
前記ホルダーを保持するケースと、
前記ケースを蓋するキャップと、を備え、
前記ホルダーは、弾性変形可能な材料からなり、Ｕ字状に切り欠かれた挟持部を有して、該挟持部がドライバーアタッチメントの前記幅狭部と弾性的に係合することによって歯科用インプラントを挟持していることを特徴とする。
【００１３】
本発明に係る歯科用インプラントを収容するためのパッケージは、いわばフィクスチャーとドライバーアタッチメントとが予め一体に組み合わされた歯科用インプラントを収容するためのパッケージに関するものである。
【００１４】
上記構成によれば、ドライバーアタッチメントに設けられた周囲より縮径された幅狭部が、ホルダーに設けられたＵ字状に切り欠かれた挟持部に対して弾性的に係合することによって、歯科用インプラントを挟持するものである。ホルダーと係合する部位が、ドライバーアタッチメントであるために、歯科用インプラントが挟持部に装着されたり挟持部から離脱されたりする際には、歯槽骨内に埋入されるフィクスチャーの表面加工されたネジ山が挟持部の側壁面に擦れない構成となっている。したがって、フィクスチャーの表面加工されたネジ山が、歯槽骨内に埋設される前に他の部材と接触することなくフィクスチャーを取り扱うことができる。
【００１５】
また、様々なサイズのフィクスチャーが存在するが、フィクスチャーと組み合わされるドライバーアタッチメントの幅狭部を共通化することができるので、どのようなサイズのフィクスチャーにも対応することができる。
【００１６】
前記挟持部における係合手段は、例えば、挟持部の側壁面に凸設された係止ツメである。
【００１７】
上記構成によれば、弾性変形可能な材料からなるホルダーの挟持部に対してドライバーアタッチメントの幅狭部が押し込まれたときに、挟持部が僅かに拡開して幅狭部を受け入れる。僅かに拡開した挟持部が元の開口サイズに戻るが、係止ツメが飛び出し防止ストッパーの働きをするので、歯科用インプラントが飛び出すこと無く安定的に挟持される。
【００１８】
また、前記挟持部における係合手段は、挟持部の側壁面に凹設された係止凹部である。
【００１９】
上記構成によれば、弾性変形可能な材料からなるホルダーの挟持部に対してドライバーアタッチメントの幅狭部が押し込まれたときに、挟持部が僅かに拡開して幅狭部を係止凹部で受け入れる。僅かに拡開した挟持部が元の開口サイズに戻るが、係止凹部が飛び出し防止ストッパーの働きをするので、歯科用インプラントが飛び出すこと無く安定的に挟持される。
【００２０】
前記キャップの内部の中央に設けられてケース側に延在する支持部がドライバーアタッチメントのヘッド部の上面に当接することによって、歯科用インプラント付きホルダーホルダーがパッケージ内で係止されている。
【００２１】
上記構成によれば、歯科用インプラント付きホルダーホルダーが、パッケージ内で安定的に保持されているので、歯科用インプラントがホルダーから離脱すること無く、運搬や保管を行うことができる。
【００２２】
フィクスチャーとドライバーアタッチメントとは、様々な形態で一体に組み合わせ可能であるが、連通穴から挿入された連結スクリューによって連結されている。
【００２３】
ホルダーは、大略円筒形状であってもよいが、載置台等に一時的に載置したときの取扱い易さ、すなわち、ホルダーの転動防止の観点から、大略正多角体であることが好適である。
【００２４】
ドライバーホルダーとともに歯科用インプラントを開口部側から引き出すことによって、係合された歯科用インプラントをホルダーの挟持部から簡単に離脱させることができるが、ホルダーの開口部の反対側に位置する側面中央の両側に配設された一対の押圧マーカー部が押圧されることによって、ホルダーの側面が弾性変形して挟持部が僅かに拡開することによって、挟持部で挟持されていた歯科用インプラントがさらに簡単に離脱可能となる。
【００２５】
あるいは、ホルダーの上端及び下端の同じ側にＵ字状切欠がそれぞれ設けられ、上端側のＵ字状切欠が挟持部として用いられるとともに、下端側の切欠近傍の位置に押圧マーカー部が配設されている構成とすることができる。このような構成において、前記押圧マーカー部が押圧されることによって、下端側の切欠近傍の側面ボディが僅かに押し潰されるが、その押し潰しの反動で、ホルダーの側面が弾性変形して挟持部が僅かに拡開することによって、挟持部で挟持されていた歯科用インプラントが離脱可能となる。
【発明を実施するための最良の形態】
【００２６】
以下に、本発明に係る歯科用インプラント３を収容するためのパッケージ１の一実施形態を、図１乃至４を参照しながら詳細に説明する。
【００２７】
図１は、本発明の一実施形態に係る歯科用インプラント３を収容するためのパッケージ１を一部破断した側面図である。図２は、図１に示したホルダー１０の上面図である。図３は、図１に示した歯科用インプラント３の斜視図である。図４は、図１の歯科用インプラント３をホルダー１０に装着した状態を示す斜視図である。図５は、本発明の他の実施形態に係るパッケージ１のホルダー１０を示す斜視図である。
【００２８】
まず、図２を参照しながら歯科用インプラント３について説明する。
【００２９】
歯科用インプラント３は、フィクスチャー３０とドライバーアタッチメント４０とが、不図示の連結スクリューによって一体に組み合わされたものである。
【００３０】
フィクスチャー３０は、わずかに先細の大略円筒形状をしていて、外ネジ３４と鏡面部３２とを備えている。下方外周面に形成された外ネジ３４は、先端側に行くにしたがって、そのネジ山が高くなっている。また、先端側のネジ山が部分的に切り欠かれており、埋入後に骨成分が切欠部に入り込むことによって埋入後のネジの回動を阻止する働きを有している。このような外ネジ３４によって、フィクスチャー３０は、歯槽骨内に強固に埋入固定される。骨内に埋入される外ネジ３４の部分には、機械的手段及び／又は化学的手段によって粗面加工が施されている。粗面加工の機械的手段としてはサンドブラスト等があり、粗面加工の化学的手段としては、酸エッチング等がある。また、骨との親和性を高めるために、リン酸カルシウムのコーティング等がある。また、外ネジ３４の上方設けられた鏡面部３２は、歯肉と接触する部位であるので、鏡面加工が施されている。
【００３１】
フィクスチャー３０の内部には中空有底穴が形成されており、その先端部分の内壁面には内ネジが形成されている。この内ネジは、連結スクリューの外ネジと螺合する。中空有底穴の開口部分すなわち鏡面部３２の上面部分には、ドライバーアタッチメント４０の六角状の接続端（嵌合部）を回動不可に受け入れる六角凹状の受け部が設けられている。
【００３２】
ドライバーアタッチメント４０は、上端部に配設されたヘッド部４２と、下端部に配設された接続端（嵌合部）と、それらの間に位置するネック部４７と、を有する。ドライバーアタッチメント４０の内部には、貫通穴が形成されていて、貫通穴には連結スクリューが挿通される。
【００３３】
ヘッド部４２は、ドライバーホルダーに嵌合装着されるために、例えば大略四角柱形状に加工されていて、そのコーナー部分には面取り加工や曲面加工が施されている。接続端（嵌合部）は、六角状に加工されていて、フィクスチャー３０の中空有底穴に形成された六角凹状の受け部と嵌合する。大略円柱状のネック部４７は、上縁４６と下縁４９との間に、上縁４６及び下縁４９より縮径された円環状の幅狭部４８を有している。ドライバーアタッチメント４０の幅狭部４８の外径サイズを一義的に規定しておけば、様々なサイズのフィクスチャーに対しても、当該ドライバーアタッチメント４０を装着するだけで係合部分の共用化を図ることができる。
【００３４】
パッケージ１は、全体として円筒形状をしており、大きくは、ケース７０とキャップ６０とホルダー１０という三つの部材から構成されている。いずれの部材７０，６０，１０も、γ線による滅菌処理が可能で透明な樹脂材料からなり、外力が加えられると弾性的に変形することができる材料及び肉厚から構成されている。
【００３５】
例えば高密度ポリエチレンからなるケース７０は、ホルダー１０を収容するための容器であり、上面側が開口した円筒形状をしている。ケース７０の底面及び内壁面には、８個の支持リブ７６が均等に立設されている。支持リブ７６は、軸心に向かって下向きに傾斜した支持面を有している。傾斜した支持面は、ホルダー１０をケース７０に収容したときに、ホルダー１０をケース７０の中央に自動的に着座させることに使用される。
【００３６】
また、例えば高密度ポリエチレンからなるキャップ６０は、ケース７０と嵌合してケース７０を蓋するためのものであり、下面側が開口した円筒形状をしている。キャップの下端部には、複数のリング状突起を外周面に備えた係合下端部６２が設けられている。この係合下端部６２が、ケース７０の上面側の内壁面と摩擦係合することで、キャップ６０がケース７０に嵌入される。キャップ６０の上面の中央には、下方すなわちケース７０に向かって延在する支持バー６４が設けられている。歯科用インプラント３の装着されたホルダー１０が支持リブ７６で支持されるとともに、支持バー６４がホルダー１０に装着されたドライバーアタッチメント４０のヘッド部４２の上面に当接することによって、歯科用インプラント３の組み込まれたホルダー１０がパッケージ１内で係止される。
【００３７】
弾性変形可能な樹脂材料、例えばポリプロピレンからなるホルダー１０は、歯科用インプラント３を着脱自在に把持するための把持具であり、側面ボディ１２が大略正十角柱の形状をしている。ホルダー１０の上面には、Ｕ字状に切り欠かれた挟持部１６が設けられている。また、ホルダー１０の側面ボディ１２には、部分的に切り欠かれることによって開口した開口部１８が設けられている。
【００３８】
ホルダー１０の挟持部１６は、ドライバーアタッチメント４０のネック部４７の上縁４６を受け入れるように寸法構成されたガイド上溝と、ネック部４７の幅狭部４６を受け入れるように寸法構成された切欠部と、ネック部４７の下縁４９を受け入れるように寸法構成されたガイド空間と、を備えている。切欠部の開口サイズは、ネック部４７の幅狭部４６のサイズと実質的に等しく寸法構成されている。挟持部１６の切欠部の側壁面には、半円状に突出した係止ツメ２０が設けられている。この係止ツメ２０は、弾性変形可能な樹脂材料からなるホルダー１０の挟持部１６に対してドライバーアタッチメント４０の幅狭部４６が押し込まれたときに、挟持部１６が僅かに拡開して幅狭部４６を受け入れる。そして、僅かに拡開した挟持部１６が元の開口サイズに戻るが、係止ツメ２０が飛び出し防止ストッパーの働きをするので、歯科用インプラント３が不用意に飛び出すこと無く安定的に挟持される。
【００３９】
上記係止ツメ２０の代替として、挟持部１６の切欠部の側壁面に、係止凹部を設けることもできる。挟持部１６の切欠部の開口サイズをネック部４７の幅狭部４６のサイズよりわずかに小さめに寸法構成しておき、係止凹部のサイズをネック部４７の幅狭部４６のサイズと実質的に等しく寸法構成されている。このような構成によって、弾性変形可能な樹脂材料からなるホルダー１０の挟持部１６に対してドライバーアタッチメント４０の幅狭部４６が押し込まれたときに、挟持部１６が僅かに拡開して幅狭部４６を係止凹部で受け入れる。僅かに拡開した挟持部１６の切欠部が元の開口サイズに戻るが、狭小の切欠部が飛び出し防止ストッパーの働きをするので、歯科用インプラント３が不用意に飛び出すこと無く安定的に挟持される。
【００４０】
ホルダー１０の開口部１８は、当該開口部１８と通して歯科用インプラント３をホルダー１０に装着したりホルダー１０から離脱したりすることができ、その際にフィクスチャー３０の外ネジ３４がホルダーの壁面と接触しないように寸法構成されている。
【００４１】
次に、上記パッケージ１及びそれに包装された歯科用インプラント３の使用態様について説明する。
【００４２】
洗浄及びγ線滅菌処理された歯科用インプラント３の装着されたホルダー１０をケース７０にセットし、そのケース７０にキャップ６０を被せて一体に組み上げられた状態のパッケージ１が歯科医院等に提供される。なお、パッケージ１内において、歯科用インプラント３のフィクスチャー３０は、ホルダー１０に対して言わば宙ぶらりんの非接触状態で保持されている。
【００４３】
歯科医院等に届けられたパッケージ１においては、ケース７０からキャップ６０が取られて、ケース７０の中に収納されている歯科用インプラント３付きホルダー１０が取り外される。歯科医は、歯科用インプラント３が装着されたホルダー１０の側面ボディ１２を把持しながら、ドライバーアタッチメント４０に対してドライバーホルダーを装着する。このとき、大略円柱状のドライバーホルダーの中央に設けられた大略四角形の嵌合穴に対して、ドライバーアタッチメント４０のヘッド部４２が嵌入される。ドライバーホルダーがドライバーアタッチメント４０に対して確実に嵌合して一体になっていることを確認したあと、ホルダー１０の中央で挟持されている歯科用インプラント３を開口部１８の側に（すなわち外向きに）スライド移動させる。その結果、ドライバーアタッチメント４０の幅狭部４６とホルダー１０の把持部１６との間の係合が解除されて、フィクスチャー３０の外ネジ３４が他の部材等に接触することなく、ドライバーホルダーと一緒に歯科用インプラント３がホルダー１０から取り外される。
【００４４】
ドライバーホルダーと一緒に取り出された歯科用インプラント３は、口腔内に運ばれて、ドライバーホルダーを手動で回転させることによって、フィクスチャー３０の外ネジ３４が歯槽骨に形成されたネジ穴に埋入される。したがって、フィクスチャー３０の外ネジ３４が他の部材等に触れることなく、フィクスチャー３０が歯槽骨に埋入される。なお、上記手動式のドライバーホルダーの代わりに、マイクロモーターのハンドピースに取り付けられた電動式のドライバーホルダーをドライバーアタッチメント４０に装着して使用することもできる。
【００４５】
埋入操作を終えた歯科用インプラント３からドライバーホルダーが取り外されたあと、ドライバーを用いて、口腔内に残されたドライバーアタッチメント４０が取り外される。すなわち、ドライバーの先端部を連通穴４４から挿入して、フィクスチャー３０とドライバーアタッチメント４０とを連結固定していた連結スクリューをドライバーで緩めることによって、歯槽骨に埋入されたフィクスチャー３０からドライバーアタッチメント４０が取り外される。取り外されたドライバーアタッチメント４０の代わりに、カバーキャップやヒーリングキャップが装着される。
【００４６】
キャップを装着してフィクスチャー３０を歯槽骨内に保持した状態で数ヶ月程度の固着期間が経過すると、歯肉の粘膜を剥離し、キャップを除去して、フィクスチャー３０の中空有底穴を露出させる。アバットメントとアバットメントスクリューとを一体化した状態でアバットメントをフィクスチャー３０上に載置して、アバットメントスクリューの外ネジをフィクスチャー３０の内ネジに対してネジ止めすることによって、フィクスチャー３０とアバットメントとがアバットメントスクリューを介して一体的に固定される。その後さらに、義歯がアバットメントの装着部に対して装着されることによって、一連のインプラント手術が終了する。
【００４７】
次に、本発明の他の実施形態に係るパッケージ１のホルダー１０について説明する。
【００４８】
上述した実施形態は、ドライバーホルダーとともに歯科用インプラント３を開口部側から引き出すことによって、係合された歯科用インプラント３をホルダー１０の挟持部１６から簡単に離脱させるというものである。それに対して、他の実施形態に係るパッケージ１のホルダー１０は、より簡単に歯科用インプラント３を離脱可能とするものである。
【００４９】
図５に示すように、ホルダー１０の開口部１８の反対側に位置する側面ボディ１２の中央の両側には、一対の押圧マーカー部１９が配設されている。押圧マーカー部１９は、側面ボディ１２の他の部分よりも薄肉又は肉厚に構成されていて、使用者が押圧するときの目印になっている。この一対の押圧マーカー部１８が押圧されると、開口部１８の反対側の側面ボディ１２が僅かに押し潰されるが、その押し潰しの反動として、ホルダー１０の側面ボディ１２が弾性変形して挟持部１６が僅かに拡開される。その結果、挟持部１６で挟持されていた歯科用インプラント３が、さらに簡単に離脱可能となる。
【００５０】
あるいは、ホルダー１０の上端及び下端の同じ側にＵ字状に切欠をそれぞれ設けて、上端側のＵ字状切欠を挟持部１６として用いる。下端側の切欠近傍の位置に、側面ボディ１２の他の部分よりも薄肉又は肉厚に構成された押圧マーカー部１９が配設された構成とすることができる。下端側の切欠近傍にある押圧マーカー部１９が押圧されると、下端側の切欠近傍の側面ボディ１２が僅かに押し潰されるが、その押し潰しの反動で、その反対側に位置する上端側の切欠すなわち挟持部１６が僅かに拡開される。その結果、挟持部１６で挟持されていた歯科用インプラント３が、さらに簡単に離脱可能となる。
【００５１】
なお、ホルダー１０の側面ボディ１２に押圧マーカー部１９を設けてホルダー１０を弾性変形させる場合には、側面ボディ１２の厚みを薄肉化することによって、側面ボディ１２がより容易に変形するようになり、歯科用インプラント３が小さな押圧力でより簡単に離脱可能になる。
【図面の簡単な説明】
【００５２】
【図１】本発明の一実施形態に係る歯科用インプラントを収容するためのパッケージを一部破断した側面図である。
【図２】図１に示したホルダーの上面図である。
【図３】図１に示した歯科用インプラントの斜視図である。
【図４】図１の歯科用インプラントをホルダーに装着した状態を示す斜視図である。
【図５】本発明の他の実施形態に係るパッケージのホルダーを示す斜視図である。
【符号の説明】
【００５３】
１：パッケージ
３：歯科用インプラント
１０：ホルダー
１２：側面ボディ
１４：上面
１６：挟持部
１８：開口部
１９：押圧マーカー部
２０：係止ツメ
３０：フィクスチャー
３２：鏡面部
３４：外ネジ
４０：ドライバーアタッチメント
４２：ヘッド部
４４：連通穴
４６：上縁
４７：ネック部
４８：幅狭部
４９：下縁
６０：キャップ
６２：係合下端部
６４：支持バー（支持部）
７０：ケース
７２：係合上端部
７４：底面
７６：支持リブ
【図１】
2008125982.tif 000003
【図２】
2008125982.tif 000004
【図３】
2008125982.tif 000005
【図４】
2008125982.tif 000006
【図５】
2008125982.tif 000007